(57)【要約】【課題】所定の時間を超えると、保温動作を自動で停止するジャー炊飯器を提供すること。【解決手段】鍋１を加熱する加熱手段２と、炊飯を開始させる第一の入力手段３と、保温を開始させる第二の入力手段４と、炊飯または保温を強制的に終了させて待機状態に戻す第三の入力手段５と、待機、炊飯、保温等の各モードの処理手順に従い、前記加熱手段２を駆動する制御手段６と、保温開始からの保温経過時間を計時する第一の時計手段７と、第一の時計手段７で計時する時間が第一の所定の時間を超えると保温動作を自動終了させる第一の保温自動終了手段８を備え、第一の時計手段７の計時時間が第一の所定の時間を超えた時、保温動作を自動で停止する。【選択図】図１
2005305188.tif 000002
【特許請求の範囲】
【請求項１】
炊飯材料を入れる鍋と、前記鍋を加熱する加熱手段と、炊飯を開始させる第一の入力手段と、保温を開始させる第二の入力手段と、前記炊飯または保温を強制的に終了させて待機状態に戻す第三の入力手段と、蓋の開閉状態を検知する蓋開閉検知手段と、保温動作中に蓋が開閉されてからの時間を計時する第三の時計手段と、待機、炊飯、保温等の各モードの処理手順に従い、前記加熱手段を駆動する制御手段と、前記第三の時計手段の計時時間が第四の所定の時間を超えると、保温動作を自動終了する第三の保温自動終了手段を備えたジャー炊飯器。
【請求項２】
ＬＣＤ等の表示手段と、ブザー等の報知手段と、前記表示手段と前記報知手段を駆動する第二の制御手段を備え、前記第二の制御手段は保温動作を自動終了したことを、表示手段、報知手段を駆動して報知する請求項１記載のジャー炊飯器。
【請求項３】
ＬＣＤ等の表示手段と、ブザー等の報知手段と、前記表示手段と前記報知手段を駆動する第三の制御手段を備え、前記第三の制御手段は保温動作を自動終了する時に、表示手段、報知手段を駆動して報知する請求項１記載のジャー炊飯器。
【請求項４】
ＬＣＤ等の表示手段と、ブザー等の報知手段と、前記表示手段と前記報知手段を駆動する第四の制御手段を備え、前記第四の制御手段は保温動作を自動終了するより前の第五の所定の時間に、表示手段、報知手段を駆動して報知する請求項１記載のジャー炊飯器。
【請求項５】
ＬＣＤ等の表示手段と、ブザー等の報知手段と、前記表示手段と前記報知手段を駆動する第五の制御手段を備え、前記第五の制御手段は保温動作を自動終了する代わりに表示手段、報知手段を駆動して報知する請求項１記載のジャー炊飯器。
【発明の詳細な説明】
【技術分野】
【０００１】
本発明は、一般家庭などで利用されるジャー炊飯器の保温動作に関するものである。
【背景技術】
【０００２】
従来例について、図１５、図１６を参照しながら説明する。
【０００３】
図１５は従来のジャー炊飯器の構成を示して、１は炊飯材料を入れる鍋、２は鍋１を加熱する加熱手段、３は炊飯を開始させる第一の入力手段、４は保温を開始させる第二の入力手段、５は前記炊飯または保温を強制的に終了させて待機状態に戻す第三の入力手段、６は待機、炊飯、保温等の各モードの処理手順に従い、前記加熱手段を駆動する制御手段である。
【０００４】
以上のように構成された従来のジャー炊飯器について、以下その動作について図１６を参照して説明する。
【０００５】
まず待機状態時において、ステップ２０１で第二の入力手段４からの入力の有無を調べて、入力がなければステップ２０２で第一の入力手段３からの入力の有無を調べる。ここでまた第一の入力手段３からの入力がなければ、ステップ２０１に戻って待機状態の処理を続行する。使用者がステップ２０２で第一の入力手段３を操作するとステップ２０３へ進み、ステップ２０３では制御手段６が炊飯量に応じた加熱プログラムによって加熱手段２を駆動し、鍋１を加熱し加熱炊飯が行われる。続いてステップ２０４に進んで第三の入力手段５からの入力の有無を調べる。この入力がある場合にはステップ２０１へ戻り待機状態に入る。この入力がない場合には、ステップ２０５で、炊飯が終了しているかどうかを調べる。炊飯が終了していない場合には、ステップ２０３へ戻って炊飯動作を続行する。
【０００６】
ステップ２０５で炊飯終了を検知、あるいはステップ２０１で第二の入力手段４からの入力があれば、ステップ２０６へ進み保温状態に入る。ステップ２０６では制御手段６が保温動作のプログラムによって加熱手段２を駆動し、鍋１を加熱し保温が行われる。続いて第三の入力手段５からの入力の有無をステップ２０７で調べる。この入力がある場合にはステップ２０１へ戻り待機状態に入る。この入力がない場合には、ステップ２０６へ戻り、保温動作を続行する。
【発明の開示】
【発明が解決しようとする課題】
【０００７】
しかしながら上記のような保温動作では、保温経過時間に関わらず第三のキー入力手段５により使用者が意図的に保温動作を終了させない限り、保温動作が終了することは有り得ない。したがって、使用者が保温動作の終了操作を行わない場合、保温動作を延々と続けてしまうという課題があった。
【０００８】
本発明は上記課題を解決するもので、保温動作中に蓋が開閉されてからの時間が所定の時間を超えたとき、保温動作を自動終了するジャー炊飯器を提供することを目的としている。
【課題を解決するための手段】
【０００９】
本発明は上記目的を達成するために、炊飯材料を入れる鍋と、前記鍋を加熱する加熱手段と、炊飯を開始させる第一の入力手段と、保温を開始させる第二の入力手段と、前記炊飯または保温を強制的に終了させて待機状態に戻す第三の入力手段と、待機、炊飯、保温等の各モードの処理手順に従い、前記加熱手段を駆動する制御手段と、蓋の開閉状態を検知する蓋開閉検知手段と、保温動作中に蓋が開閉されてからの時間を計時する第三の時計手段と、前記第三の時計手段の計時時間が第四の所定の時間を超えると、保温動作を自動終了する第三の保温自動終了手段を備えたものである。
【００１０】
これにより、保温動作中に蓋が開閉されてからの時間が所定の時間を超えたとき、保温動作を自動終了することができる。
【発明の効果】
【００１１】
本発明によれば、保温動作中に蓋が開閉されてからの時間が第四の所定の時間を超えたとき、保温動作を自動終了する。したがって使用者が保温動作を切り忘れた場合、所定の保温経過時間で保温動作を終了させることができるという有利な効果が得られる。
【発明を実施するための最良の形態】
【００１２】
第１の発明は、炊飯材料を入れる鍋と、前記鍋を加熱する加熱手段と、炊飯を開始させる第一の入力手段と、保温を開始させる第二の入力手段と、前記炊飯または保温を強制的に終了させて待機状態に戻す第三の入力手段と、待機、炊飯、保温等の各モードの処理手順に従い、前記加熱手段を駆動する制御手段と、蓋の開閉状態を検知する蓋開閉検知手段と、保温動作中に蓋が開閉されてからの時間を計時する第三の時計手段と、前記第三の時計手段の計時時間が第四の所定の時間を超えると、保温動作を自動終了する第三の保温自動終了手段を備えたものである。これにより使用者が保温動作を切り忘れた場合、所定の保温経過時間で保温動作を終了させることができる。
【００１３】
第２の発明は、上記第１の発明において、ＬＣＤ等の表示手段と、ブザー等の報知手段と、前記表示手段と前記報知手段を駆動する第二の制御手段を備え、前記第二の制御手段は保温動作を自動終了したことを、表示手段、報知手段を駆動して報知する。これにより保温動作の切り忘れと保温動作を自動終了したことを報知することができる。
【００１４】
第３の発明は、上記第１の発明において、ＬＣＤ等の表示手段と、ブザー等の報知手段と、前記表示手段と前記報知手段を駆動する第三の制御手段を備え、前記第三の制御手段は保温動作を自動終了する時に、表示手段、報知手段を駆動して報知する。これにより保温動作の切り忘れと保温動作を自動終了することを報知することができる。
【００１５】
第４の発明は、上記第１の発明において、ＬＣＤ等の表示手段と、ブザー等の報知手段と、前記表示手段と前記報知手段を駆動する第四の制御手段を備え、前記第四の制御手段は保温動作を自動終了するより前の第五の所定の時間に、表示手段、報知手段を駆動して報知する。これにより所定時間以上の保温動作中であること及び保温動作の切り忘れを報知することができる。
【００１６】
第５の発明は、上記第１の発明において、ＬＣＤ等の表示手段と、ブザー等の報知手段と、前記表示手段と前記報知手段を駆動する第五の制御手段を備え、前記第五の制御手段は保温動作を自動終了する代わりに表示手段、報知手段を駆動して報知する。これにより所定時間以上の保温動作中であること及び保温動作の切り忘れを防止することができる。
【実施例】
【００１７】
（実施例１）
以下、本発明の第１の実施例について図１、図２を用いて説明する。
【００１８】
図１において図１５と同じ番号を付した箇所は、従来例で説明した構成部品と同じであるため、詳細は省略する。７は保温開始からの保温経過時間を計時する第一の時計手段であり、８は第一の時計手段７で計時している保温経過時間が第一の所定の時間を超えた時、自動的に保温動作を終了し待機状態に戻す第一の保温自動終了手段であり、９は第一の時計手段７で計時された保温経過時間を変更する保温経過時間設定手段であり、１０はＬＣＤ等の表示手段であり、１１は表示手段を駆動する表示制御手段である。
【００１９】
図２において、まず待機状態時において、ステップ３１で第二の入力手段４からの入力の有無を調べて、入力がなければステップ３２で第一の入力手段３からの入力の有無を調べる。ここでまた第一の入力手段３からの入力がなければ、ステップ３１に戻って待機状態の処理を続行する。使用者がステップ３２で第一の入力手段３を操作するとステップ３３へ進み、ステップ３３では制御手段６が炊飯量に応じた加熱プログラムによって加熱手段２を駆動し、鍋１を加熱し加熱炊飯が行われる。続いてステップ３４に進んで第三の入力手段５からの入力の有無を調べる。この入力がある場合にはステップ３１へ戻り待機状態に入る。この入力がない場合には、ステップ３５で、炊飯が終了しているかどうかを調べる。炊飯が終了していない場合には、ステップ３３へ戻って炊飯動作を続行する。ステップ３５で炊飯終了を検知すれば、ステップ３６へ進み保温経過時間を初期化し、ステップ３７へ進み保温自動終了フラグをリセットした後保温状態に入る。
【００２０】
また、ステップ３１で第二の入力手段４からの入力を受け付けた場合も、保温状態に入る。この場合にはステップ３１からステップ４５へ進み、そこで保温時間が第一の所定の時間である９６時間を経過しているかの判断を行い、経過していなければステップ３８へ進むが、経過していればステップ４６にて、保温計か時間設定手段９により第一の時計手段７の計時時間を２４時間に設定する。これにより第二の所定の時間である７２時間で保温動作を自動終了させることが可能となる。
【００２１】
次のステップ３８はでは制御手段６が保温動作のプログラムによって加熱手段２を駆動し、鍋１を加熱し保温が行われる。次にステップ３９では保温経過時間の計時を行い、次のステップ４０において、保温自動終了フラグがセットされているかを判定する。フラグがセットされていればステップ４２へ進むが、フラグがセットされていなければステップ４１で表示制御手段１１が表示手段１０に保温経過時間を表示した後ステップ４２へ進む。ステップ４２では第一の保温自動終了手段８により保温経過時間が第一の所定の時間である９６時間を経過しているか判定する。保温経過時間が９６時間以上であればステップ４４で保温自動終了フラグをセットした後ステップ３１へ進み待機状態に戻る。保温経過時間が９６時間未満であればステップ４３へ進む。
【００２２】
ステップ４３では第三の入力手段５からの入力の有無を調べる。この入力がある場合にはステップ３１へ戻り待機状態に入る。この入力がない場合には、ステップ３８へ戻り、保温動作を続行する。なお、本実施例では自動で保温動作を終了する第一の所定の時間を９６時間としたが、特に９６時間でなくともよい。また、第二の所定の時間を７２時間とし、ステップ４６で設定する保温経過時間を２４時間としたが、第二の所定の時間は第一の所定の時間以下であれば特に７２時間でなくともよい。
【００２３】
（実施例２）
以下、本発明の第２の実施例について図３、図４を用いて説明する。図３において図１５と同じ番号を付した箇所は、従来例で説明した構成部品と同じであるため、詳細は省略する。１２は蓋の開閉状態を検知する蓋開閉検知手段であり、１３は蓋の開いている時間を計時する第二の時計手段であり、１４は第二の時計手段１３の計時時間が第三の所定の時間を超えると、保温動作を自動終了する第二の保温自動終了手段である。
【００２４】
図４において、まず待機状態時において、ステップ５１で第二の入力手段４からの入力の有無を調べて、入力がなければステップ５２で第一の入力手段３からの入力の有無を調べる。ここでまた第一の入力手段３からの入力がなければ、ステップ５１に戻って待機状態の処理を続行する。使用者がステップ５２で第一の入力手段３を操作するとステップ５３へ進み、ステップ５３では制御手段６が炊飯量に応じた加熱プログラムによって加熱手段２を駆動し、鍋１を加熱し加熱炊飯が行われる。続いてステップ５４に進んで第三の入力手段５からの入力の有無を調べる。この入力がある場合にはステップ５１へ戻り待機状態に入る。この入力がない場合には、ステップ５５で、炊飯が終了しているかどうかを調べる。炊飯が終了していない場合には、ステップ５３へ戻って炊飯動作を続行する。
【００２５】
ステップ５５で炊飯終了を検知すれば、ステップ５６へ進み保温経過時間を初期化し、ステップ５７へ進み保温状態に入る。また、ステップ５１で第二の入力手段４からの入力を受け付けた場合も、ステップ５７へ進み保温状態に入る。ステップ５７では制御手段６が保温動作のプログラムによって加熱手段２を駆動し、鍋１を加熱し保温が行われる。続くステップ５８において、蓋開閉検知手段１２により、蓋が開いているかの判定を行う。蓋が開いている場合、ステップ５９へ進み、蓋が閉じていればステップ６１へ進む。ステップ６１では第二の時計手段１３で計時する蓋開時間を初期化した後ステップ６２へ進む。
【００２６】
ステップ５９では蓋が開いている時間を計時する。続くステップ６０で第二の保温自動終了手段１４により計時する蓋開時間が第三の所定の時間である５分を経過しているか判定し、経過していればステップ５１へ進み保温を終了する。経過していなければステップ６２へ進む。ステップ６２では第三の入力手段５からの入力の有無を調べる。この入力がある場合にはステップ５１へ戻り待機状態に入る。この入力がない場合には、ステップ５７へ戻り、保温動作を続行する。なお、本実施例では自動で保温動作を終了する第三の所定の時間を５分としたが、特に５分でなくともよい。
【００２７】
（実施例３）
以下、本発明の第３の実施例について図５、図６を用いて説明する。
【００２８】
図５において図１５と同じ番号を付した箇所は、従来例で説明した構成部品と同じであるため、詳細は省略する。１５は保温動作中に蓋が開閉されてからの時間を計時する第三の時計手段であり、１６は第三の時計手段１５の計時時間が所定の時間を超えると、保温動作を自動終了する第三の保温自動終了手段である。
【００２９】
図６において、まず待機状態時において、ステップ７１で第二の入力手段４からの入力の有無を調べて、入力がなければステップ７２で第一の入力手段３からの入力の有無を調べる。ここでまた第一の入力手段３からの入力がなければ、ステップ７１に戻って待機状態の処理を続行する。使用者がステップ７２で第一の入力手段３を操作するとステップ７３へ進み、ステップ７３では制御手段６が炊飯量に応じた加熱プログラムによって加熱手段２を駆動し、鍋１を加熱し加熱炊飯が行われる。続いてステップ７４に進んで第三の入力手段５からの入力の有無を調べる。この入力がある場合にはステップ７１へ戻り待機状態に入る。この入力がない場合には、ステップ７５で、炊飯が終了しているかどうかを調べる。
【００３０】
炊飯が終了していない場合には、ステップ７３へ戻って炊飯動作を続行する。ステップ７５で炊飯終了を検知すれば、ステップ７６で蓋開フラグをリセットした後ステップ７７へ進み保温状態に入る。また、ステップ７１で第二の入力手段４からの入力を受け付けた場合も、ステップ７７へ進み保温状態に入る。ステップ７７では制御手段６が保温動作のプログラムによって加熱手段２を駆動し、鍋１を加熱し保温が行われる。続くステップ７８において、蓋開閉検知手段１２により蓋が開閉されたかの判定を行う。蓋が開閉された場合、ステップ７９へ進み、蓋が開閉されていなければステップ８１へ進む。
【００３１】
ステップ７９では第三の時計手段１５の計時時間を初期化し、その後ステップ８０で蓋開閉フラグをセットした後ステップ８１へ進む。ステップ８１で蓋開閉フラグがセットされていなければステップ８４へ進むが、蓋開閉フラグがセットされていればステップ８２へ進む。ステップ８２では蓋が開閉されてからの経過時間を第三の時計手段１５で計時する。その後ステップ８３へ進む。
【００３２】
ステップ８３では、第三の保温自動終了手段１６により第四の所定の時間である７２時間を経過しているか判定する。経過時間が７２時間以上であればステップ７１へ進み待機状態に戻る。経過時間が７２時間未満であればステップ８４へ進む。ステップ８４では第三の入力手段５からの入力の有無を調べる。この入力がある場合にはステップ７１へ戻り待機状態に入る。この入力がない場合には、ステップ７７へ戻り、保温動作を続行する。なお、本実施例では自動で保温動作を終了する第四の所定の時間を７２時間としたが、特に７２時間でなくともよい。
【００３３】
（実施例４）
以下、本発明の第４の実施例について図７、図８を用いて説明する。
【００３４】
図７において図１５と同じ番号を付した箇所は、従来例で説明した構成部品と同じであるため、詳細は省略する。１０はＬＣＤ等の表示手段であり、１７はブザー等の報知手段であり、１８は表示手段１０と報知手段１７を駆動する第二の制御手段である。
【００３５】
図８において、まず待機状態時において、ステップ９１で第二の入力手段４からの入力の有無を調べて、入力がなければステップ９２で第一の入力手段３からの入力の有無を調べる。ここでまた第一の入力手段３からの入力がなければ、ステップ９１に戻って待機状態の処理を続行する。使用者がステップ９２で第一の入力手段３を操作するとステップ９３へ進み、ステップ９３では制御手段６が炊飯量に応じた加熱プログラムによって加熱手段２を駆動し、鍋１を加熱し加熱炊飯が行われる。続いてステップ９４に進んで第三の入力手段５からの入力の有無を調べる。この入力がある場合にはステップ９１へ戻り待機状態に入る。この入力がない場合には、ステップ９５で、炊飯が終了しているかどうかを調べる。炊飯が終了していない場合には、ステップ９３へ戻って炊飯動作を続行する。
【００３６】
ステップ９５で炊飯終了を検知すれば、ステップ９６へ進み保温経過時間を初期化し、ステップ９７へ進み保温状態に入る。また、ステップ９１で第二の入力手段４からの入力を受け付けた場合も、ステップ９７へ進み保温状態に入るが、この場合にはステップ９１からステップ１０３へ進み、そこで保温時間が９６時間以上経過しているかの判断を行う。保温時間が９６時間以上経過していなければステップ９７へ進むが、経過していればステップ１０４にて第一の時計手段７の計時時間を２４時間に設定する。これにより第二の所定の時間である７２時間で保温動作を自動終了させることが可能となる。次のステップ９７では制御手段６が保温動作のプログラムによって加熱手段２を駆動し、鍋１を加熱し保温が行われる。
【００３７】
次にステップ９８では保温経過時間の計時を行い、次のステップ９９において、第一の保温自動終了手段８により保温経過時間が第一の所定の時間である９６時間を経過しているか判定する。保温経過時間が９６時間以上であればステップ１０１へ進み、なければステップ１００へ進む。ステップ１０１では第二の制御手段１８により表示手段１０に「Ｕ１３」を表示する。その後ステップ１０２へ進み、そこでは第三の入力手段５からの入力の有無を調べる。この入力がある場合にはステップ９１へ戻り待機状態に入が、入力がない場合には、ステップ１０１へ戻る。ステップ１００では第三の入力手段５からの入力の有無を調べる。この入力がある場合にはステップ９１へ戻り待機状態に入る。この入力がない場合には、ステップ９７へ戻り、保温動作を続行する。
【００３８】
なお、本実施例ではステップ１０１で表示手段１０に「Ｕ１３」を表示したが、表示は特に「Ｕ１３」でなくともよく、ＬＥＤによる表示でもよい。また、ステップ１０１では表示手段１０のみで保温経過時間が所定の時間を超えたことを表わしたが、特に表示手段１０のみでなく、報知手段１７のみによる報知でも、表示手段１０による表示と報知手段１７による報知でもよい。
【００３９】
（実施例５）
以下、本発明の第５の実施例について図９、図１０を用いて説明する。
【００４０】
図９において図１５と同じ番号を付した箇所は、従来例で説明した構成部品と同じであるため、詳細は省略する。１０はＬＣＤ等の表示手段であり、１７はブザー等の報知手段であり、１９は表示手段１０と報知手段１７を駆動する第三の制御手段である。
【００４１】
図１０において、まず待機状態時において、ステップ１１１で第二の入力手段４からの入力の有無を調べて、入力がなければステップ１１２で第一の入力手段３からの入力の有無を調べる。ここでまた第一の入力手段３からの入力がなければ、ステップ１１１に戻って待機状態の処理を続行する。使用者がステップ１１２で第一の入力手段３を操作するとステップ１１３へ進み、ステップ１１３では制御手段６が炊飯量に応じた加熱プログラムによって加熱手段２を駆動し、鍋１を加熱し加熱炊飯が行われる。続いてステップ１１４に進んで第三の入力手段５からの入力の有無を調べる。この入力がある場合にはステップ１１１へ戻り待機状態に入る。この入力がない場合には、ステップ１１５で、炊飯が終了しているかどうかを調べる。
【００４２】
炊飯が終了していない場合には、ステップ１１３へ戻って炊飯動作を続行する。ステップ１１５で炊飯終了を検知すれば、ステップ１１６へ進み保温経過時間を初期化し、ステップ１１７へ進み保温状態に入る。また、ステップ１１１で第二の入力手段４からの入力を受け付けた場合も、ステップ１１７へ進み保温状態に入るが、この場合にはステップ１１１からステップ１２２へ進み、そこで保温時間が第一の所定の時間である９６時間を経過しているか判断を行い、保温時間が９６時間以上経過していなければステップ１１７へ進むが、経過していればステップ１２３にて第一の時計手段７の計時時間を２４時間に設定する。これにより第二の所定の時間である７２時間で保温動作を自動終了させることが可能となる。  次のステップ１１７では制御手段６が保温動作のプログラムによって加熱手段２を駆動し、鍋１を加熱し保温が行われる。次にステップ１１８では保温経過時間の計時を行い、次のステップ１１９において、第一の保温自動終了手段８により保温経過時間が第一の所定の時間である９６時間経過しているか判定する。保温経過時間が９６時間以上であればステップ１２１へ進み、なければステップ１２０へ進む。ステップ１２１では第三の制御手段１９により報知手段１７を駆動し、保温を自動終了することを報知する。
【００４３】
その後ステップ１１１へ進み待機状態にへ戻る。ステップ１２０では第三の入力手段５からの入力の有無を調べる。この入力がある場合にはステップ１１１へ戻り待機状態に入る。この入力がない場合には、ステップ１１７へ戻り、保温動作を続行する。なお、本実施例ではステップ１２１で保温が自動終了することを報知手段１７のみで報知したが、特に報知手段１７のみでなくともよく、表示手段１０のみによる表示でも、表示手段１０による表示と報知手段１７による報知でもよい。
【００４４】
（実施例６）
以下、本発明の第６の実施例について図１１、図１２を用いて説明する。
【００４５】
図１１において図１５と同じ番号を付した箇所は、従来例で説明した構成部品と同じであるため、詳細は省略する。１０はＬＣＤ等の表示手段であり、１７はブザー等の報知手段であり、２０は表示手段１０と報知手段１７を駆動する第四の制御手段である。
【００４６】
図１２において、まず待機状態時において、ステップ１３１で第二の入力手段４からの入力の有無を調べて、入力がなければステップ１３２で第一の入力手段３からの入力の有無を調べる。ここでまた第一の入力手段３からの入力がなければ、ステップ１３１に戻って待機状態の処理を続行する。使用者がステップ１３２で第一の入力手段３を操作するとステップ１３３へ進み、ステップ１３３では制御手段６が炊飯量に応じた加熱プログラムによって加熱手段２を駆動し、鍋１を加熱し加熱炊飯が行われる。続いてステップ１３４に進んで第三の入力手段５からの入力の有無を調べる。この入力がある場合にはステップ１３１へ戻り待機状態に入る。この入力がない場合には、ステップ１３５で、炊飯が終了しているかどうかを調べる。
【００４７】
炊飯が終了していない場合には、ステップ１３３へ戻って炊飯動作を続行する。ステップ１３５で炊飯終了を検知すれば、ステップ１３６へ進み保温経過時間を初期化し、ステップ１３７へ進み保温状態に入る。また、ステップ１３１で第二の入力手段４からの入力を受け付けた場合も、ステップ１３７へ進み保温状態に入るが、この場合にはステップ１３１からステップ１４３へ進み、そこで保温時間が第一の所定の時間である９６時間以上経過しているかの判断を行い、保温時間が９６時間以上経過していなければステップ１３７へ進むが、経過していればステップ１４４にて第一の時計手段７の計時時間を２４時間に設定する。これにより第二の所定の時間である７２時間で保温動作を自動終了させることが可能となる。次のステップ１３７では制御手段６が保温動作のプログラムによって加熱手段２を駆動し、鍋１を加熱し保温が行われる。
【００４８】
次にステップ１３８では保温経過時間の計時を行い、次のステップ１３９において、保温経過時間が所定の時間である７２時間であるかを判定する。つまり第五の所定の時間である保温自動停止２４時間前であるかの判定を行う。保温経過時間が７２時間であればステップ１４０へ進み第四の制御手段２０により報知手段１７を駆動し、長時間保温されていることを報知する。保温経過時間が７２時間未満であればステップ１４１へ進む。ステップ１４１においては、第一の保温自動終了手段８により保温経過時間が第一の所定の時間である９６時間経過しているかの判定を行う。保温経過時間が９６時間以上であればステップ１３１へ進み待機状態に戻る。保温経過時間が９６時間未満であればステップ１４２へ進む。ステップ１４２では第三の入力手段５からの入力の有無を調べる。この入力がある場合にはステップ１３１へ戻り待機状態に入る。この入力がない場合には、ステップ１３７へ戻り、保温動作を続行する。
【００４９】
なお、本実施例では第五の所定の時間を、２４時間としが、特に２４時間でなくともよく、また２４時間のみならず、複数の時間でもよい。また、ステップ１４０では長時間保温されていることを報知手段１７のみで報知したが、特に報知手段１７のみでなくともよく、表示手段１０のみによる表示でも、表示手段１０による表示と報知手段１７による報知でもよい。
【００５０】
（実施例７）
以下、本発明の第７の実施例について図１３、図１４を用いて説明する。
【００５１】
図１３において図１５と同じ番号を付した箇所は、従来例で説明した構成部品と同じであるため、詳細は省略する。１０はＬＣＤ等の表示手段であり、１７はブザー等の報知手段であり、２１は表示手段１０と報知手段１７を駆動する第五の制御手段である。
【００５２】
図１４において、まず待機状態時において、ステップ１５１で第二の入力手段４からの入力の有無を調べて、入力がなければステップ１５２で第一の入力手段３からの入力の有無を調べる。ここでまた第一の入力手段３からの入力がなければ、ステップ１５１に戻って待機状態の処理を続行する。使用者がステップ１５２で第一の入力手段３を操作するとステップ１５３へ進み、ステップ１５３では制御手段６が炊飯量に応じた加熱プログラムによって加熱手段２を駆動し、鍋１を加熱し加熱炊飯が行われる。
【００５３】
続いてステップ１５４に進んで第三の入力手段５からの入力の有無を調べる。この入力がある場合にはステップ１５１へ戻り待機状態に入る。この入力がない場合には、ステップ１５５で、炊飯が終了しているかどうかを調べる。炊飯が終了していない場合には、ステップ１５３へ戻って炊飯動作を続行する。ステップ１５５で炊飯終了を検知すれば、ステップ１５６へ進み保温経過時間を初期化し、ステップ１５７へ進み保温状態に入る。また、ステップ１５１で第二の入力手段４からの入力を受け付けた場合も、ステップ１５７へ進み保温状態に入るが、この場合にはステップ１３１からステップ１４３へ進み、そこで保温時間が第一の所定の時間である９６時間以上経過しているかの判断を行い、保温時間が９６時間以上経過していなければステップ１５７へ進むが、経過していればステップ１６３にて第一の時計手段７の計時時間を２４時間に設定する。これにより第二の所定の時間である７２時間で保温動作を自動終了させることが可能となる。
【００５４】
次のステップ１５７では制御手段６が保温動作のプログラムによって加熱手段２を駆動し、鍋１を加熱し保温が行われる。次にステップ１５８では保温経過時間の計時を行い、次のステップ１５９において、第一の保温自動終了手段８により保温経過時間が第一の所定の時間である９６時間経過しているか判定する。保温経過時間が９６時間以上であればステップ１６０へ進み、保温経過時間が９６時間未満であればステップ１６１へ進む。ステップ１６０では第五の制御手段２１により表示手段１０に「Ｕ１４」を表示する。その後ステップ１６１へ進む。ステップ１６１では第三の入力手段５からの入力の有無を調べる。この入力がある場合にはステップ１５１へ戻り待機状態に入る。この入力がない場合には、ステップ１５７へ戻り、保温動作を続行する。
【００５５】
なお、本実施例ではステップ１６０で表示手段１０に「Ｕ１４」を表示したが、表示は特に「Ｕ１４」でなくともよく、ＬＥＤによる表示でもよい。また、ステップ１６０では表示手段１０のみで保温経過時間が所定の時間を超えたことを表わしたが、特に表示手段１０のみでなく、報知手段１７のみによる報知でも、表示手段１０による表示と報知手段１７による報知でもよい。
【産業上の利用可能性】
【００５６】
以上のように家庭用のみならず業務用の炊飯器等の用途にも応用できる。
【図面の簡単な説明】
【００５７】
【図１】本発明の第１の実施例におけるジャー炊飯器の機能ブロック図
【図２】同、ジャー炊飯器の要部を示すフローチャート
【図３】本発明の第２の実施例におけるジャー炊飯器の機能ブロック図
【図４】同、ジャー炊飯器の要部を示すフローチャート
【図５】本発明の第３の実施例におけるジャー炊飯器の機能ブロック図
【図６】同、ジャー炊飯器の要部を示すフローチャート
【図７】本発明の第４の実施例におけるジャー炊飯器の機能ブロック図
【図８】同、ジャー炊飯器の要部を示すフローチャート
【図９】本発明の第５の実施例におけるジャー炊飯器の機能ブロック図
【図１０】同、ジャー炊飯器の要部を示すフローチャート
【図１１】本発明の第６の実施例におけるジャー炊飯器の機能ブロック図
【図１２】同、ジャー炊飯器の要部を示すフローチャート
【図１３】本発明の第７の実施例におけるジャー炊飯器の機能ブロック図
【図１４】同、ジャー炊飯器の要部を示すフローチャート
【図１５】従来例におけるジャー炊飯器の機能ブロック図
【図１６】同、ジャー炊飯器の要部を示すフローチャート
【符号の説明】
【００５８】
１  鍋
２  加熱手段
３  第一の入力手段
４  第二の入力手段
５  第三の入力手段
６  制御手段
７  第一の時計手段
８  第一の保温自動終了手段
９  保温経過時間設定手段
１０  表示手段
１１  表示制御手段
１２  蓋開閉検知手段
１３  第二の時計手段
１４  第二の保温自動終了手段
１５  第三の時計手段
１６  第三の保温自動終了手段
１７  報知手段
１８  第二の制御手段
１９  第三の制御手段
２０  第四の制御手段
２１  第五の制御手段
【図１】
2005305188.tif 000003
【図２】
2005305188.tif 000004
【図３】
2005305188.tif 000005
【図４】
2005305188.tif 000006
【図５】
2005305188.tif 000007
【図６】
2005305188.tif 000008
【図７】
2005305188.tif 000009
【図８】
2005305188.tif 000010
【図９】
2005305188.tif 000011
【図１０】
2005305188.tif 000012
【図１１】
2005305188.tif 000013
【図１２】
2005305188.tif 000014
【図１３】
2005305188.tif 000015
【図１４】
2005305188.tif 000016
【図１５】
2005305188.tif 000017
【図１６】
2005305188.tif 000018